(57)【要約】【課題】  プラズマディスプレイパネルや、有機ＥＬパネル等の自発光の表示パネルに好適に実施され、入力映像信号に他の映像信号を重畳する一方、各画素の１フィールド内での発光回数で階調表示を行うとともに、パネルの単位面積当りの消費電力量を予測し、その予測値から、発光形式を切換えることで、パネルの消費電力量を抑制するようにした画像表示装置において、予測演算に必要な時間、映像信号を遅延させるメモリを削減する。【解決手段】  第１ＡＰＬ計算回路３３は、前記消費電力量を、データ重畳回路３７の出力からではなく、入力映像信号から予測する。これによって、リサイズおよび遅延回路３１による遅延時間内で予測演算を行い、メモリを削減することができる。また、前記重畳データによって生じる誤差は、第２ＡＰＬ計算回路４４および第２コントローラ４５を用いて、サブフィールドパルス発生回路４１で発光パルス数にモード比を掛けて補償する。【選択図】      図１
2005275047.tif 000002
【特許請求の範囲】
【請求項１】
データ重畳手段で入力映像信号に他の映像信号を重畳するとともに、予測手段が表示パネルの消費電力量を予測し、その予測結果に応答して、発光制御手段が、前記表示パネルに与える発光信号を前記消費電力量が予め定めるレベル以下となるように制御する表示装置において、
前記予測手段は、入力映像信号から前記消費電力量を予測する第１の予測手段と、前記データ重畳手段での重畳後の映像信号から再び前記消費電力量を予測する第２の予測手段とから成り、
前記発光制御手段は、前記第１の予測手段の予測結果に応答して消費電力量を前記予め定めるレベル以下に抑制するような前記発光信号を出力する第１の発光制御手段と、前記第２の予測手段の予測結果に応答して消費電力量を前記予め定めるレベル以下に抑制するような補正信号を出力する第２の発光制御手段とから成り、
前記補正信号によって前記発光信号を補正する補正手段をさらに備えることを特徴とする表示装置。
【請求項２】
前記発光信号は、表示パネルの各画素を１フィールド内で複数回発光させ、その発光回数で階調表示を実現する信号であり、前記第１の発光制御手段は、前記第１の予測手段での消費電力量予測値が、複数種類設定される消費電力範囲の何れにあるかに応じて発光モードを決定し、その発光モードにおける前記１フィールド内での最大発光回数を表す信号を前記発光信号として出力するとともに、前記発光モードを表す信号を出力し、
前記第２の発光制御手段は、前記第２の予測手段での消費電力量予測値が、前記各消費電力範囲の何れにあるかに応じて発光モードを決定し、その発光モードを表す信号を前記補正信号として出力し、
前記補正手段は、前記第１の発光制御手段で決定された発光モードおよび第２の発光制御手段で決定された発光モードでの最大発光回数の比を、前記第１の発光制御手段で決定された最大発光回数に乗算することで、補正を実現することを特徴とする請求項１記載の表示装置。
【請求項３】
リサイズ手段によって入力映像信号を表示パネルの形態に適したデータに変換し、データ重畳手段において他の映像信号を重畳した後、映像信号−サブフィールド対応付け手段によって映像信号の１フィールドをそれぞれ重み付けられた複数のサブフィールドに分割してデータ側ドライバを駆動するとともに、予測手段が映像信号から表示パネルの消費電力量を予測し、その予測結果に応答して、発光制御手段が、前記映像信号−サブフィールド対応付け手段による各サブフィールドにおける発光パルス数を変化し、かつサブフィールドパルス発生手段から走査側ドライバに与える発光パルス数を変化することで、前記消費電力量が予め定めるレベル以下となるように制御する表示装置において、
前記予測手段は、入力映像信号から前記消費電力量を予測する第１の予測手段と、前記データ重畳手段での重畳後の映像信号から再び前記消費電力量を予測する第２の予測手段とから成り、
前記発光制御手段は、前記第１の予測手段の予測結果に応答して、前記映像信号−サブフィールド対応付け手段およびサブフィールドパルス発生手段に、消費電力量を前記予め定めるレベル以下に抑制するような発光パルスを出力させる第１の発光制御手段と、前記第２の予測手段の予測結果に応答して消費電力量を前記予め定めるレベル以下に抑制するような補正信号を出力する第２の発光制御手段とから成り、
前記サブフィールドパルス発生手段は、前記第１の発光制御手段によって設定された発光パルス数を、前記補正信号に応答して補正することを特徴とする表示装置。
【請求項４】
前記リサイズ手段、データ重畳手段、第１の予測手段および第１の発光制御手段は、第１の集積回路チップから成り、前記映像信号−サブフィールド対応付け手段、サブフィールドパルス発生手段、第２の予測手段および第２の発光制御手段は、第２の集積回路チップから成ることを特徴とする請求項３記載の表示装置。
【請求項５】
前記各サブフィールドにおける発光パルス数の割付けを格納しているパルス数ＲＯＭは、前記第１の集積回路チップに接続され、前記第２の発光制御手段は、前記第２の予測手段での予測結果に応答して、各サブフィールドにおける適応する発光パルス数を前記第１の発光制御手段を介して前記パルス数ＲＯＭから読出すことを特徴とする請求項４記載の表示装置。
【請求項６】
入力映像信号に他の映像信号を重畳するとともに、表示パネルの消費電力量を予測し、その予測結果に応答して、前記表示パネルに与える発光信号を前記消費電力量が予め定めるレベル以下となるように制御する表示制御方法において、
前記入力映像信号から前記消費電力量を予測し、
その予測結果に応答して消費電力量を前記予め定めるレベル以下に抑制するような前記発光信号を作成し、
前記他の映像信号の重畳後の映像信号から再び前記消費電力量を予測し、
その予測結果に応答して消費電力量を前記予め定めるレベル以下に抑制するような補正信号を作成し、
前記補正信号によって前記発光信号を補正することを特徴とする表示制御方法。
【発明の詳細な説明】
【技術分野】
【０００１】
本発明は、プラズマディスプレイパネル、有機ＥＬパネル、発光ダイオードパネルなどを用いる場合に好適な表示装置および表示制御方法に関する。
【背景技術】
【０００２】
前記プラズマディスプレイパネル、有機ＥＬパネル、発光ダイオードパネルなどのようなフラットパネルを用いた表示装置、特にテレビジョン放送を受信可能な装置には、装置価格が比較的高価になることから、多くの機能が搭載されている。そして、それらの多機能が容易に扱えるように、メニュー画面などが、主画面に重畳されるようになっている。この画面の重畳に関して、たとえば以下の先行技術が提案されている。
【０００３】
先ず、特許文献１には、映像信号の平均輝度レベルを検出し、その検出結果に応じて、重畳する文字等の明るさを調節することで、表示する文字等の明るさを、自動的に画面の明るさに適応した明るさとするスーパーインポーズ表示装置が提案されている。
【０００４】
また、特許文献２には、文字信号を重畳する部分の映像信号のレベルを検出し、検出結果に応じたレベルで重畳することで、表示画面全体の平均輝度と、重畳する部分近傍の輝度とが異なる場合でも、視認性をよくした文字重畳回路が提案されている。
【０００５】
さらにまた、特許文献３には、最も大きなサイズにて描画される画像ソースの輝度情報を基に、描画時の輝度制御を行うことで、主画面に子画面を併せて表示するにあたって、子画面の大きな輝度変化が主画面の輝度に影響を与えることなく、主画面の大きな輝度変化にはこれに応じて輝度を自動制御することができる画像表示システムが提案されている。
【０００６】
一方、前記プラズマディスプレイパネル、有機ＥＬパネル、発光ダイオードパネルなどのような自発光の表示パネルでは、表示すべき映像信号の輝度レベルが高くなると、パネルの焼き付きや、画像表示装置全体での消費電力が規定の定格消費電力を超過するなどの問題が生じる。そこで、このような問題を解消することができる従来技術としては、たとえば図５で示すような画像表示装置が実現されている。図示しない受信回路等で受信され、あるいは映像記録媒体を再生して得られるなどした映像信号は、Ｒ，Ｇ，Ｂの各色に対応したデジタルの信号で入力され、リサイズおよび遅延回路１において、フィールドメモリ２を用いて、ＰＤＰパネル３の画素数に適応され、データ重畳回路４において、マイクロコンピュータ５からのスーパーインポーズ画像の映像信号が重畳される。
【０００７】
重畳後の映像信号は、ＡＰＬ計算回路６において、特定の期間、たとえば少なくとも１フィールド分積分され、積分画素数で除算することで、前記ＰＤＰパネル３の単位面積当りの消費電力量が求められ、その求められた消費電力量を表す消費電力予測信号が、コントローラ７に入力される。コントローラ７は、前記消費電力予測信号に応答して、パルス数ＲＯＭ８を参照して、ＰＤＰパネル３の単位面積当りの発光量（輝度）を調節して、消費電力量が大きくなり過ぎないような発光形式を選択し、その発光形式における最大発光回数を表す倍数モードと、各サブフィールドにおけるパルス数とをサブフィールドパルス発生回路９に設定する。
【０００８】
一方、前記重畳後の映像信号は、前記ＡＰＬ計算回路６における計算時間の１フィールド分、遅延回路１１で遅延された後、映像信号−サブフィールド対応付け器１２に入力される。この映像信号−サブフィールド対応付け器１２は、フィールドメモリ１３を用いて、２のべき乗で表現された前記遅延回路１１からの映像信号を、前記コントローラ７で設定された倍数モードに応じたサブフィールド構成の発光パターンに変換し、所定のタイミングで、１フィールド期間中に、各画素の第１サブフィールドのデータ、第２サブフィールドのデータ・・・、第ｎサブフィールドのデータを順に送出する（ｎはサブフィールド数）。
【０００９】
前記サブフィールドパルス発生回路９は、前記コントローラ７で設定された倍数モードのサブフィールド構成で、走査、維持、消去を行う信号を走査側ドライバ１４に供給する。走査側ドライバ１４は、所定の電圧レベルで走査、維持、消去を行う信号をＰＤＰパネル３の各行電極に供給する。これに対して、データ側ドライバ１５は、映像信号−サブフィールド対応付け器１２からの出力信号を入力とし、各画素データに対応する電圧値を有する画像データパルスを発生してこれを各列毎に分割し、前記走査側ドライバ１４から出力される信号と同期してＰＤＰパネル３の列電極に供給する。ＰＤＰパネル３は、走査側ドライバ１４から発光パルスが入力され、かつデータ側ドライバ１５から与えられる発光パルスがアクティブであるときに、実際に発光することができる。このようにしてＰＤＰパネル３が駆動されて、入力映像信号Ｒ，Ｇ，Ｂに応じた画像が表示される。
【特許文献１】特開平５−６８２１８号公報
【特許文献２】特開平８−２８９２１５号公報
【特許文献３】特開２００３−３４８４８８号公報
【発明の開示】
【発明が解決しようとする課題】
【００１０】
上述の従来技術では、リサイズおよび遅延回路１のためのフィールドメモリ２と、映像信号−サブフィールド対応付け器１２のためのフィールドメモリ１３と、遅延回路１１となる３つのフィールドメモリが必要になる。前記のように高付加価値のフラットパネルを用いた表示装置においては、衛星デジタル放送や地上波デジタル放送に対応し、高品位な映像を再生可能となっており、大容量のメモリを３個も使用することになる。そして、前記フィールドメモリは、外付けのＤＲＡＭなどで実現され、数が多くなる程、コストが嵩むとともに、基板面積が増大する。また、このフィールドメモリの個数が多く、遅延が大きくなる程、音声信号とのずれが大きくなり、音声信号側にも、同期させるための遅延メモリが必要になる。
【００１１】
ところで、データ重畳回路４において重畳画像の映像信号を重畳した後、リサイズおよび遅延回路１においてリサイズを行い、リサイズ前の信号をＡＰＬ計算回路６に入力するようにすると、リサイズ処理の間にＡＰＬ計算を行うことができ、前記遅延回路１１を省略することができる。しかしながら、リサイズ時のフィルタリングによって、重畳画像がぼやけてしまうという新たな問題が生じる。
【００１２】
一方、ＡＰＬ計算回路６に入力映像信号Ｒ，Ｇ，Ｂを入力するようにしても、リサイズ処理の間にＡＰＬ計算を行うことができ、前記遅延回路１１を省略することができる。しかしながら、重畳画像の輝度が高いと、消費電力が大きくなって、パネルの焼き付きや、画像表示装置全体での消費電力が規定の定格消費電力を超過する等の前記の問題が生じる。前記メニュー画面等の重畳画像は、操作者（視聴者）に良好に認識されることが必要であり、輝度が高くなる可能性が高い。
【００１３】
本発明の目的は、映像信号の重畳に対しても、表示パネルの消費電力量を確実に規定のレベル以下に抑制しつつ、高価なメモリを削減することができる表示装置および表示制御方法を提供することである。
【課題を解決するための手段】
【００１４】
本発明の表示装置は、データ重畳手段で入力映像信号に他の映像信号を重畳するとともに、予測手段が表示パネルの消費電力量を予測し、その予測結果に応答して、発光制御手段が、前記表示パネルに与える発光信号を前記消費電力量が予め定めるレベル以下となるように制御する表示装置において、前記予測手段は、入力映像信号から前記消費電力量を予測する第１の予測手段と、前記データ重畳手段での重畳後の映像信号から再び前記消費電力量を予測する第２の予測手段とから成り、前記発光制御手段は、前記第１の予測手段の予測結果に応答して消費電力量を前記予め定めるレベル以下に抑制するような前記発光信号を出力する第１の発光制御手段と、前記第２の予測手段の予測結果に応答して消費電力量を前記予め定めるレベル以下に抑制するような補正信号を出力する第２の発光制御手段とから成り、前記補正信号によって前記発光信号を補正する補正手段をさらに備えることを特徴とする。
【００１５】
上記の構成によれば、データ重畳手段で入力映像信号に文字等のスーパーインポーズなどの画像の重畳を行うようにした表示装置において、予測手段が表示パネルの消費電力量を予測し、発光制御手段が、その予測結果に応じて、前記表示パネルに与える発光信号を前記消費電力量が予め定めるレベル以下となるように制御することで、パネルの焼き付きや、表示装置全体での消費電力が規定の定格消費電力を超過してしまうことなどを防止するようにした、いわゆるプラズマＡＩなどと称される自動消費電力制御を行うにあたって、その消費電力量の予測演算に使用する映像信号として、入力映像信号を使用する。
【００１６】
したがって、少なくとも１フィールドの期間を要する該消費電力量の予測演算を、前記入力映像信号のサイズ変更やデータ重畳などの処理と並行して行うことができ、映像データに係数を乗算するなどの該予測演算の結果を映像信号に反映（タイミング合わせ）させるために、映像信号を遅延する必要はなく、高価なメモリを削減することができる。
【００１７】
しかしながら、上述のように、メモリを削減するために予測手段が入力映像信号から表示パネルの消費電力量を予測すると、その後に画像を重畳すると、該消費電力量が前記予め定めるレベルを超過してしまう可能性がある。そこで、前記入力映像信号から自動消費電力制御を行う構成を、第１の予測手段および第１の発光制御手段として、先ずこれらで概略の消費電力制御を行い、さらに前記データ重畳手段での重畳後の映像信号から自動消費電力制御を行う構成として、第２の予測手段および第２の発光制御手段を設けるとともに、補正手段を設け、高精度な消費電力制御を行う。第２の発光制御手段は、前記第２の予測手段の予測結果に応答して消費電力量を前記予め定めるレベル以下に抑制するような補正信号を出力し、これに応答して、補正手段は、前記発光信号における発光パルス数を削減するなどして、該発光信号を補正する。
【００１８】
したがって、補正後の発光信号は、画像を重畳した後の映像信号の平均輝度レベルに対応したものとなり、消費電力量が前記予め定めるレベルを超過してしまうことを確実に防止することができる。
【００１９】
ところで、第２の予測手段での予測演算にも１フィールド期間が必要であるが、その演算結果の反映には前記補正信号を発光信号に乗算するなどの逐次処理で対応することができる。したがって、サブフィールドへの対応付けを変更する等の発光信号自体に前記演算結果を反映させる場合には、従来のように消費電力量の予測演算の期間だけ映像信号を遅延する遅延用のメモリが必要になるが、本発明では、前記発光信号自体は第１の予測手段および第１の発光制御手段によって作成されるので、その対応付けのためのメモリを無くすことができる。このようにして、映像信号の重畳に対しても、表示パネルの消費電力量を確実に規定のレベル以下に抑制しつつ、高価なメモリを削減することができる。
【００２０】
また、本発明の表示装置では、前記発光信号は、表示パネルの各画素を１フィールド内で複数回発光させ、その発光回数で階調表示を実現する信号であり、前記第１の発光制御手段は、前記第１の予測手段での消費電力量予測値が、複数種類設定される消費電力範囲の何れにあるかに応じて発光モードを決定し、その発光モードにおける前記１フィールド内での最大発光回数を表す信号を前記発光信号として出力するとともに、前記発光モードを表す信号を出力し、前記第２の発光制御手段は、前記第２の予測手段での消費電力量予測値が、前記各消費電力範囲の何れにあるかに応じて発光モードを決定し、その発光モードを表す信号を前記補正信号として出力し、前記補正手段は、前記第１の発光制御手段で決定された発光モードおよび第２の発光制御手段で決定された発光モードでの最大発光回数の比を、前記第１の発光制御手段で決定された最大発光回数に乗算することで、補正を実現することを特徴とする。
【００２１】
上記の構成によれば、第２の予測手段および第２の発光制御手段を用いて補正を行うにあたって、映像信号から発光モードに対応した実際の発光信号への変換処理に１フィールド期間必要となるので、第２の予測手段での予測演算に必要な１フィールド期間はその期間で吸収することができ、また補正手段では発光モードの違いによる最大発光回数の比を乗算するだけであるので、特に遅延を必要とせず、前記メモリの削減を具体的に実現することができる。
【００２２】
さらにまた、本発明の表示装置は、リサイズ手段によって入力映像信号を表示パネルの形態に適したデータに変換し、データ重畳手段において他の映像信号を重畳した後、映像信号−サブフィールド対応付け手段によって映像信号の１フィールドをそれぞれ重み付けられた複数のサブフィールドに分割してデータ側ドライバを駆動するとともに、予測手段が映像信号から表示パネルの消費電力量を予測し、その予測結果に応答して、発光制御手段が、前記映像信号−サブフィールド対応付け手段による各サブフィールドにおける発光パルス数を変化し、かつサブフィールドパルス発生手段から走査側ドライバに与える発光パルス数を変化することで、前記消費電力量が予め定めるレベル以下となるように制御する表示装置において、前記予測手段は、入力映像信号から前記消費電力量を予測する第１の予測手段と、前記データ重畳手段での重畳後の映像信号から再び前記消費電力量を予測する第２の予測手段とから成り、前記発光制御手段は、前記第１の予測手段の予測結果に応答して、前記映像信号−サブフィールド対応付け手段およびサブフィールドパルス発生手段に、消費電力量を前記予め定めるレベル以下に抑制するような発光パルスを出力させる第１の発光制御手段と、前記第２の予測手段の予測結果に応答して消費電力量を前記予め定めるレベル以下に抑制するような補正信号を出力する第２の発光制御手段とから成り、前記サブフィールドパルス発生手段は、前記第１の発光制御手段によって設定された発光パルス数を、前記補正信号に応答して補正することを特徴とする。
【００２３】
上記の構成によれば、データ重畳手段で入力映像信号に文字等のスーパーインポーズなどの画像の重畳を行うようにした表示装置において、予測手段が表示パネルの消費電力量を予測し、発光制御手段が、その予測結果に応じて、映像信号−サブフィールド対応付け手段およびサブフィールドパルス発生手段を制御して、データ側ドライバおよび走査側ドライバから前記表示パネルに与える発光パルス数を前記消費電力量が予め定めるレベル以下となるように制御することで、パネルの焼き付きや、表示装置全体での消費電力が規定の定格消費電力を超過してしまうことなどを防止するようにした、いわゆるプラズマＡＩなどと称される自動消費電力制御を行うにあたって、その消費電力量の予測演算に使用する映像信号として、入力映像信号を使用する。
【００２４】
したがって、少なくとも１フィールドの期間を要する該消費電力量の予測演算を、リサイズ手段による前記入力映像信号のサイズ変更の処理と並行して行うことができ、映像データに係数を乗算するなどの該予測演算の結果を映像信号に反映（タイミング合わせ）させるために、映像信号を遅延する必要はなく、高価なメモリを削減することができる。
【００２５】
しかしながら、上述のように、メモリを削減するために予測手段が入力映像信号から表示パネルの消費電力量を予測すると、その後に前記データ重畳手段で画像を重畳すると、該消費電力量が前記予め定めるレベルを超過してしまう可能性がある。そこで、前記入力映像信号から自動消費電力制御を行う構成を、第１の予測手段および第１の発光制御手段として、先ずこれらで映像信号−サブフィールド対応付け手段を制御することで概略の消費電力制御を行い、さらに前記データ重畳手段での重畳後の映像信号から自動消費電力制御を行う構成として、第２の予測手段および第２の発光制御手段を設け、前記サブフィールドパルス発生手段は、出力された補正信号で、前記第１の発光制御手段によって設定された発光パルス数を補正する。
【００２６】
したがって、補正後の発光パルス数は、画像を重畳した後の映像信号の平均輝度レベルに対応したものとなり、消費電力量が前記予め定めるレベルを超過してしまうことを確実に防止することができる。
【００２７】
ところで、第２の予測手段での予測演算にも１フィールド期間が必要であるが、その演算結果の反映には、前記サブフィールドパルス発生手段での補正信号の乗算による逐次処理で対応することができる。したがって、映像信号−サブフィールド対応付け手段によるサブフィールドへの対応付け（各サブフィールドにおける発光パルス数の割付け）を変更する等の発光パルスの形態自体に前記演算結果を反映させる場合には、従来のように消費電力量の予測演算の期間だけ映像信号を遅延する遅延用のメモリが必要になるが、本発明では、前記発光パルスの形態自体は第１の予測手段および第１の発光制御手段によって設定されるので、フィールドメモリを使用して、１フィールド期間を要するこの映像信号−サブフィールド対応付け手段によるサブフィールドへの対応付けの間に、第２の予測手段での予測演算を行うことができ、前記演算結果を反映させるためのメモリを無くすことができる。このようにして、映像信号の重畳に対しても、表示パネルの消費電力量を確実に規定のレベル以下に抑制しつつ、高価なメモリを削減することができる。
【００２８】
また、本発明の表示装置は、前記リサイズ手段、データ重畳手段、第１の予測手段および第１の発光制御手段は、第１の集積回路チップから成り、前記映像信号−サブフィールド対応付け手段、サブフィールドパルス発生手段、第２の予測手段および第２の発光制御手段は、第２の集積回路チップから成ることを特徴とする。
【００２９】
上記の構成によれば、第２の集積回路チップで、前記プラズマＡＩなどと称される自動消費電力制御を行う最小限のチップを実現することができ、このチップを用いて、セットメーカは、ドライバの実装された表示パネルと組合わせて、表示装置を作製することができる。そして、独自に第１の集積回路チップを組合わせることで、遅延を少なくして、データ重畳を行うことができる。
【００３０】
さらにまた、本発明の表示装置は、前記各サブフィールドにおける発光パルス数の割付けを格納しているパルス数ＲＯＭは、前記第１の集積回路チップに接続され、前記第２の発光制御手段は、前記第２の予測手段での予測結果に応答して、各サブフィールドにおける適応する発光パルス数を前記第１の発光制御手段を介して前記パルス数ＲＯＭから読出すことを特徴とする。
【００３１】
上記の構成によれば、２チップ構成としても、１つのパルス数ＲＯＭを用いて、発光パルス数を決定することができる。
【００３２】
また、本発明の表示制御方法は、入力映像信号に他の映像信号を重畳するとともに、表示パネルの消費電力量を予測し、その予測結果に応答して、前記表示パネルに与える発光信号を前記消費電力量が予め定めるレベル以下となるように制御する表示制御方法において、前記入力映像信号から前記消費電力量を予測し、その予測結果に応答して消費電力量を前記予め定めるレベル以下に抑制するような前記発光信号を作成し、前記他の映像信号の重畳後の映像信号から再び前記消費電力量を予測し、その予測結果に応答して消費電力量を前記予め定めるレベル以下に抑制するような補正信号を作成し、前記補正信号によって前記発光信号を補正することを特徴とする。
【００３３】
上記の構成によれば、入力映像信号に文字等のスーパーインポーズなどの画像の重畳を行うようにした表示装置において、表示パネルの消費電力量を予測し、その予測結果に応じて、前記表示パネルに与える発光信号を前記消費電力量が予め定めるレベル以下となるように制御することで、パネルの焼き付きや、表示装置全体での消費電力が規定の定格消費電力を超過してしまうことなどを防止するようにした、いわゆるプラズマＡＩなどと称される自動消費電力制御を行うにあたって、その消費電力量の予測演算に使用する映像信号として、入力映像信号を使用する。
【００３４】
したがって、少なくとも１フィールドの期間を要する該消費電力量の予測演算を、前記入力映像信号のサイズ変更やデータ重畳などの処理と並行して行うことができ、映像データに係数を乗算するなどの該予測演算の結果を映像信号に反映（タイミング合わせ）させるために、映像信号を遅延する必要はなく、高価なメモリを削減することができる。
【００３５】
しかしながら、上述のように、メモリを削減するために入力映像信号から表示パネルの消費電力量を予測すると、その後に画像を重畳すると、該消費電力量が前記予め定めるレベルを超過してしまう可能性がある。そこで、前記入力映像信号から消費電力量を予測し、発光信号を作成することで概略の消費電力制御を行い、さらに重畳後の映像信号から消費電力量を予測し、補正信号を作成して、前記発光信号における発光パルス数を削減するなどして、前記発光信号をこの補正信号で補正することで、高精度な消費電力制御を行う。
【００３６】
したがって、補正後の発光信号は、画像を重畳した後の映像信号の平均輝度レベルに対応したものとなり、消費電力量が前記予め定めるレベルを超過してしまうことを確実に防止することができる。
【００３７】
ところで、重畳後の映像信号からの消費電力量の予測演算にも１フィールド期間が必要であるが、その演算結果の反映には前記補正信号を発光信号に乗算するなどの逐次処理で対応することができる。したがって、サブフィールドへの対応付けを変更する等の発光信号自体に前記演算結果を反映させる場合には、従来のように消費電力量の予測演算の期間だけ映像信号を遅延する遅延用のメモリが必要になるけれども、本発明では、前記発光信号自体は第１の予測手段および第１の発光制御手段によって作成されるので、その対応付けのためのメモリを無くすことができる。このようにして、映像信号の重畳に対しても、表示パネルの消費電力量を確実に規定のレベル以下に抑制しつつ、高価なメモリを削減することができる。
【発明の効果】
【００３８】
本発明の表示装置は、以上のように、データ重畳手段で入力映像信号に他の映像信号を重畳するとともに、予測手段が表示パネルの消費電力量を予測し、その予測結果に応答して、発光制御手段が、前記表示パネルに与える発光信号を前記消費電力量が予め定めるレベル以下となるように制御する表示装置において、前記予測手段を、入力映像信号から前記消費電力量を予測する第１の予測手段と、前記データ重畳手段での重畳後の映像信号から再び前記消費電力量を予測する第２の予測手段とで構成し、前記発光制御手段を、前記第１の予測手段の予測結果に応答して消費電力量を前記予め定めるレベル以下に抑制するような前記発光信号を出力する第１の発光制御手段と、前記第２の予測手段の予測結果に応答して消費電力量を前記予め定めるレベル以下に抑制するような補正信号を出力する第２の発光制御手段とで構成し、補正手段が前記補正信号によって前記発光信号を補正する。
【００３９】
それゆえ、いわゆるプラズマＡＩなどと称される自動消費電力制御を行うにあたって、その消費電力量の予測演算に使用する映像信号として、入力映像信号を使用することで、少なくとも１フィールドの期間を要する該消費電力量の予測演算を、前記入力映像信号のサイズ変更やデータ重畳などの処理と並行して行うことができ、映像データに係数を乗算するなどの該予測演算の結果を映像信号に反映（タイミング合わせ）させるために、映像信号を遅延する必要はなく、高価なメモリを削減することができる。また、そのようにメモリを削減しても、前記入力映像信号から求められた発光信号を、重畳後の映像信号の予測値から求めた補正信号で補正するので、補正後の発光信号は、画像を重畳した後の映像信号の平均輝度レベルに対応したものとなり、消費電力量が前記予め定めるレベルを超過してしまうことを確実に防止することができる。
【００４０】
さらにまた、本発明の表示装置は、以上のように、リサイズ手段によって入力映像信号を表示パネルの形態に適したデータに変換し、データ重畳手段において他の映像信号を重畳した後、映像信号−サブフィールド対応付け手段によって映像信号の１フィールドをそれぞれ重み付けられた複数のサブフィールドに分割してデータ側ドライバを駆動するとともに、予測手段が映像信号から表示パネルの消費電力量を予測し、その予測結果に応答して、発光制御手段が、前記映像信号−サブフィールド対応付け手段による各サブフィールドにおける発光パルス数を変化し、かつサブフィールドパルス発生手段から走査側ドライバに与える発光パルス数を変化することで、前記消費電力量が予め定めるレベル以下となるように制御する表示装置において、前記予測手段を、入力映像信号から前記消費電力量を予測する第１の予測手段と、前記データ重畳手段での重畳後の映像信号から再び前記消費電力量を予測する第２の予測手段とで構成し、前記発光制御手段を、前記第１の予測手段の予測結果に応答して、前記映像信号−サブフィールド対応付け手段およびサブフィールドパルス発生手段に、消費電力量を前記予め定めるレベル以下に抑制するような発光パルスを出力させる第１の発光制御手段と、前記第２の予測手段の予測結果に応答して消費電力量を前記予め定めるレベル以下に抑制するような補正信号を出力する第２の発光制御手段とで構成し、前記サブフィールドパルス発生手段が、前記第１の発光制御手段によって設定された発光パルス数を、前記補正信号に応答して補正する。
【００４１】
それゆえ、いわゆるプラズマＡＩなどと称される自動消費電力制御を行うにあたって、その消費電力量の予測演算に使用する映像信号として、入力映像信号を使用することで、少なくとも１フィールドの期間を要する該消費電力量の予測演算を、前記入力映像信号のサイズ変更の処理と並行して行うことができ、係数を乗算するなどの該予測演算の結果を映像信号に反映（タイミング合わせ）させるために、映像信号を遅延する必要はなく、高価なメモリを削減することができる。また、そのようにメモリを削減しても、前記入力映像信号から求められた発光パルス数を、重畳後の映像信号の予測値から求めた補正信号で補正するので、補正後の発光パルス数は、画像を重畳した後の映像信号の平均輝度レベルに対応したものとなり、消費電力量が前記予め定めるレベルを超過してしまうことを確実に防止することができる。
【００４２】
また、本発明の表示制御方法は、以上のように、入力映像信号に他の映像信号を重畳するとともに、表示パネルの消費電力量を予測し、その予測結果に応答して、前記表示パネルに与える発光信号を前記消費電力量が予め定めるレベル以下となるように制御する表示制御方法において、前記入力映像信号から前記消費電力量を予測し、その予測結果に応答して消費電力量を前記予め定めるレベル以下に抑制するような前記発光信号を作成し、前記他の映像信号の重畳後の映像信号から再び前記消費電力量を予測し、その予測結果に応答して消費電力量を前記予め定めるレベル以下に抑制するような補正信号を作成し、前記補正信号によって前記発光信号を補正する。
【００４３】
それゆえ、いわゆるプラズマＡＩなどと称される自動消費電力制御を行うにあたって、その消費電力量の予測演算に使用する映像信号として、入力映像信号を使用することで、少なくとも１フィールドの期間を要する該消費電力量の予測演算を、前記入力映像信号のサイズ変更やデータ重畳などの処理と並行して行うことができ、係数を乗算するなどの該予測演算の結果を映像信号に反映（タイミング合わせ）させるために、映像信号を遅延する必要はなく、高価なメモリを削減することができる。また、そのようにメモリを削減しても、前記入力映像信号から求められた発光信号を、重畳後の映像信号の予測値から求めた補正信号で補正するので、補正後の発光信号は、画像を重畳した後の映像信号の平均輝度レベルに対応したものとなり、消費電力量が前記予め定めるレベルを超過してしまうことを確実に防止することができる。
【発明を実施するための最良の形態】
【００４４】
図１は、本発明の実施の一形態の表示装置である画像表示装置の電気的構成を示すブロック図である。この画像表示装置は、大略的に、スーパーインポーズ画像等の映像信号の重畳を行う前処理回路チップ２１およびそれに外付けされるフィールドメモリ３２、マイコン３８およびパルス数ＲＯＭ３５と、実際の各画素の駆動信号を作成する後処理回路チップ２２およびそれに外付けされるフィールドメモリ４３と、ＰＤＰパネル２３およびそれに実装されるドライバ２４，２５とを備えて構成される。
【００４５】
前記前処理回路チップ２１において、図示しない受信回路等で受信され、あるいは映像記録媒体を再生して得られるなどした映像信号は、Ｒ，Ｇ，Ｂの各色に対応したデジタルの信号で入力され、リサイズおよび遅延回路３１において、フィールドメモリ３２を用いて、ＰＤＰパネル２３の画素数に適応される。ここで、注目すべきは、本発明では、前記入力映像信号は、第１ＡＰＬ計算回路３３において、特定の期間、たとえば少なくとも１フィールド分積分され、積分画素数で除算することで、前記ＰＤＰパネル２３の単位面積当りの消費電力量が求められ、その求められた消費電力量を表す第１の消費電力予測信号が、第１コントローラ３４に入力されることである。
【００４６】
第１コントローラ３４は、前記第１の消費電力予測信号に応答して、パルス数ＲＯＭ３５を参照して、ＰＤＰパネル２３の単位面積当りの発光量（輝度）を調節して、消費電力が大きくなり過ぎないような第１の発光形式を選択し、その第１の発光形式における後述する第１の倍数モードと、後述する各サブフィールドにおけるパルス数を後処理回路チップ２２のサブフィールドパルス発生回路４１に設定する。また、前記第１の倍数モードを、前記後処理回路チップ２２の映像信号−サブフィールド対応付け器４２に設定する。同時に、第１コントローラ３４は、異なる発光形式間で映像の発光量（輝度）差がなくなるように第１の乗算係数を演算し、乗算回路３６へ出力する。
【００４７】
以下に、第１コントローラ３４における第１の発光形式および第１の乗算係数の決定方法について説明する。先ず、第１の発光形式について説明する。本画像表示装置では、１フレーム期間内で許容される総発光回数（最大発光回数）が、図２に示すように、第１の消費電力予測信号の値が大きくなるに従って、１２７５、１０２０、７６５、５１０、２５５と小さくなる５つの発光形式Ａ，Ｂ，Ｃ，Ｄ，Ｅを有している。
【００４８】
一方、前記入力映像信号Ｒ，Ｇ，Ｂが、０から２５５までの８ビット階調の階調レベルで表現されている場合を一例として挙げると、発光形式Ｅは階調レベルと等倍（１倍）であるのに対して、発光形式Ａでは階調レベルの５倍、発光形式Ｂでは階調レベルの４倍、以下同様に発光形式Ｃ、発光形式Ｄではそれぞれ階調レベルの３倍、２倍の回数だけ発光するように発光パルス数を設定している。そして、これらの発光形式Ａ〜Ｅによる倍数モードは、前記第１の消費電力予測信号に基いて切換えられる。なお、上記倍数モードの例は全て整数であるが、小数であってもよい。
【００４９】
先ず、発光形式が切換えられる第１の消費電力予測信号値（以下「切換点」という）について説明する。図３は、発光形式の切換点の決定方法について説明するための図であり、第１の消費電力予測信号と、表示のために消費される電力量との関係を示した図である。この図３に示すように、第１の消費電力予測信号値が、発光形式Ａと発光形式Ｂとは切換点ＴＢで、発光形式Ｂと発光形式Ｃとは切換点ＴＣで、発光形式Ｃと発光形式Ｄとは切換点ＴＤで、発光形式Ｄと発光形式Ｅとは切換点ＴＥで切換えられる。切換点ＴＥは、たとえば以下のようにして求めることができる。
【００５０】
すなわち、第１の消費電力予測信号が最大から徐々に減少してゆくように入力映像信号Ｒ，Ｇ，Ｂを変化させ、そのときの消費電力量を測定する。なお、このとき、第１の乗算係数は１として該第１の消費電力予測信号を求めている。該第１の消費電力予測信号の減少に伴い、実際の消費電力量も減少し、消費電力量が前記基準値Ｐとなったときの該第１の消費電力予測信号の値を切換点ＴＥとする。発光形式Ｄの総発光回数は発光形式Ｅの総発光回数の２倍であるので、該第１の消費電力予測信号がＴＥのときに発光形式Ｄで表示させると、その消費電力量は２Ｐとなる。この点を開始点として上記と同様に徐々に該第１の消費電力予測信号を減少させ、消費電力量がＰとなる該第１の消費電力予測信号値ＴＤを求める。以下、同様にして切換点ＴＣ，ＴＢを求めることができる。
【００５１】
一方、前記第１の消費電力予測信号の変化に伴い、同じ階調レベルの信号に対して、単純に発光回数の異なる発光形式の切換えのみを行うと、発光形式が切換わるときに、ＰＤＰパネル２３において発光回数の差が輝度差として表れてしまう。このため、発光量・輝度が滑らかに推移するように、入力映像信号Ｒ，Ｇ，Ｂの階調レベルを調整する必要が生じる。また、図３に示すように、データ表示のために消費される電力量も基準値Ｐを大幅に超過してしまう。そこで、コントローラ３４から、第１の消費電力予測信号に応じて変化する前記第１の乗算係数を出力し、乗算回路３６において、リサイズおよび遅延された映像信号に乗算することで、実際に表示する階調を補正している。すなわち、発光回数を入力映像信号Ｒ，Ｇ，Ｂに対応したものとしている。
【００５２】
たとえば、第１の消費電力量予測値と発光形式との関係は、上述の場合、図４（ａ）で示され、第１の消費電力予測信号が変化して、切換点ＴＢにおいて、発光形式Ａから発光形式Ｂへ発光形式が変化する場合には、同じ階調レベルの信号に対しては、（発光形式Ａでの輝度）：（発光形式Ｂでの輝度）＝（発光形式Ａの発光回数）：（発光形式Ｂの発光回数）＝５：４になるので、発光形式Ａにおける第１の乗算係数は、図４（ｂ）で示すように、該第１の消費電力予測信号が小さい値のときは１で、該第１の消費電力予測信号が大きくなるにつれて単調に減少するよう設定し、前記切換点ＴＢでは、４／５＝０．８とする。この場合、たとえば入力映像信号Ｒ，Ｇ，Ｂの階調レベルが２００のとき、発光形式Ａでは階調レベルが２００×０．８となるので、２００×０．８×５＝８００回の発光回数となり、発光形式Ｂでは２００×４＝８００回のままとなり、両発光形式Ａ，Ｂ間でＰＤＰパネル２３における輝度を等しくすることができる。
【００５３】
他の発光形式の変化についても、第１の乗算係数の設定は同様の考え方で、第１の消費電力予測信号が大きくなるに従って、発光形式Ｂでは１〜０．７５（３／４）、発光形式Ｃでは１〜０．６７（２／３）、発光形式Ｄでは１〜０．５（１／２）としている。このように乗算係数を設定することによって、図４（ｃ）で示すように、発光形式が切換わっても、ＰＤＰパネル２３において輝度差が検知されないように、発光量・輝度を滑らかに推移することができる。
【００５４】
ここで、説明の簡単化のため、ＴＢ＝０．２、ＴＣ＝０．４、ＴＤ＝０．６、ＴＥ＝０．８と、消費電力予測信号の値をｘ、乗算係数をｙとすると、その関係は次のようになる。
発光形式Ａ…ｙ＝−ｘ＋１ （ｘ＜０．２）                            ・・・（１）
発光形式Ｂ…ｙ＝−５／４・ｘ＋５／４ （０．２≦ｘ＜０．４）        ・・・（２）
発光形式Ｃ…ｙ＝−５／３・ｘ＋５／３ （０．４≦ｘ＜０．６）        ・・・（３）
発光形式Ｄ…ｙ＝−５／２・ｘ＋５／２ （０．６≦ｘ＜０．８）        ・・・（４）
発光形式Ｅ…ｙ＝ａｘ＋（１−０．８ａ） （０．８≦ｘ）              ・・・（５）
【００５５】
こうして、第１コントローラ３４において第１の消費電力予測信号に応じて第１の乗算係数を求めることで、該第１の消費電力予測信号に対する消費電力量の変化は、前記図３に示すような特性から、図４（ｄ）に示すような特性となる。これによって、入力映像信号Ｒ，Ｇ，Ｂに拘わらず、データ表示のために消費される電力量が基準値Ｐを大幅に超えることがなくなっている。
【００５６】
そして、この第１の乗算係数を用いて、乗算回路３６は、前記リサイズおよび遅延回路３１においてＰＤＰパネル２３の画素数に適応された映像信号に、前記第１の乗算係数を乗算し、データ重畳回路３７へ出力する。データ重畳回路３７は、入力された映像信号に、マイクロコンピュータ３８からのスーパーインポーズ画像などの映像信号を重畳する。
【００５７】
重畳後の映像信号は、後処理回路チップ２２の映像信号−サブフィールド対応付け器４２に入力される。この映像信号−サブフィールド対応付け器４２は、フィールドメモリ４３を用いて、２のべき乗で表現された前記データ重畳回路３７からの映像信号を、前記第１コントローラ３４から設定された第１の発光形式（第１の倍数モード）でのサブフィールド構成の発光パターンに変換し、所定のタイミングで、１フィールド期間中に、各画素の第１サブフィールドのデータ、第２サブフィールドのデータ・・・、第ｎサブフィールドのデータを順に送出する（ｎはサブフィールド数）。なお、この映像信号−サブフィールド対応付け器４２においては、擬似輪郭の発生を抑制するためのサブフィールド数の変換等の所定の処理が行なわれてもよい。
【００５８】
前記サブフィールドパルス発生回路４１は、前記第１コントローラ３４で設定された第１の発光形式（第１の倍数モード）での各サブフィールドにおけるパルス数で、走査、維持、消去を行う信号を前記走査側ドライバ２４に供給する。走査側ドライバ２４は、所定の電圧レベルで走査、維持、消去を行う信号をＰＤＰパネル２３の各行電極に供給する。これに対して、データ側ドライバ２５は、映像信号−サブフィールド対応付け器４２からの出力信号を入力とし、各画素データに対応する電圧値を有する画像データパルスを発生してこれを各列毎に分割し、走査側ドライバ２４から出力される信号と同期してＰＤＰパネル２３の列電極に供給する。ＰＤＰパネル２３は、走査側ドライバ２４から発光パルスが入力され、かつデータ側ドライバ２５から与えられる発光パルスがアクティブであるときに、実際に発光することができる。このようにしてＰＤＰパネル２３が駆動されて、入力映像信号Ｒ，Ｇ，Ｂに応じた画像が表示される。
【００５９】
そして、本発明ではまた、前記データ重畳回路３７での重畳後の映像信号は、第２ＡＰＬ計算回路４４に入力され、前記第１ＡＰＬ計算回路３３と同様に、特定の期間、たとえば少なくとも１フィールド分積分され、積分画素数で除算することで、前記ＰＤＰパネル２３の単位面積当りの消費電力量が再び求められる。その求められた消費電力量を表す第２の消費電力予測信号が第２コントローラ４５に入力され、前記第１コントローラ３４と同様にして、実際にＰＤＰパネル２３を駆動するにあたって最適な第２の発光形式による第２の倍数モードおよび第２の乗算係数が求められる。このとき、該第２コントローラ４５は、前記第１コントローラ３４を介して、別チップである前処理回路チップ２１のパルス数ＲＯＭ３５を参照して、前記第２の消費電力予測信号に対応した発光形式による倍数モードおよび乗算係数を求め、前記サブフィールドパルス発生回路４１へ出力する。
【００６０】
サブフィールドパルス発生回路４１は、前記第１コントローラ３４で設定された各サブフィールドにおけるパルス数を以下のようにして補正する。先ず、第２コントローラ４５で設定された第２の倍数モードの倍数を、第１コントローラ３４で設定された第１の倍数モードの倍数で除算し、１以下であれば、その値を各サブフィールドにおけるパルス数に乗算し、１を超えていれば、そのままの値とする。すなわち、前記除算の結果が１以下ということは、画面を重畳することで、入力映像信号Ｒ，Ｇ，Ｂによるものよりも、画面が明るくなったことを表し、したがって倍数比を各サブフィールドにおけるパルス数にそのまま乗算し、パルス数を抑制する。これに対して、前記除算の結果が１を超えているということは、画面を重畳することで暗くなったことを表し、したがって倍数比は１でパルス数は維持する。次に、上記のようにして求められた各サブフィールドにおけるパルス数に、第２の乗算係数を乗算する。
【００６１】
したがって、サブフィールドパルス発生回路４１で発生されるパルスは、たとえば以下のようになる。第１コントローラ３４において、前記図２における発光形式Ｃが選択されたとすると、３倍モードとなり、各サブフィールドＳＦ１〜ＳＦ８におけるパルス数は、順に、３，６，１２，２４，４８，９６，１９２，３８４となる。
【００６２】
そして、データ重畳回路３７において、メニュー画面等の他の映像信号が重畳されないと、第２ＡＰＬ計算回路４４による第２の消費電力量予測値と前記第１ＡＰＬ計算回路３３による第１の消費電力量予測値とが等しくなり、発光形式はＣのままで変わらず、前記倍数比および第２の乗算係数は１となって、各サブフィールドＳＦ１〜ＳＦ８におけるパルス数は、第１コントローラ３４によって決定されたパルス数のままで、順に、３，６，１２，２４，４８，９６，１９２，３８４となる。
【００６３】
これに対して、他の映像信号が重畳され、第２ＡＰＬ計算回路４４による第２の消費電力量予測値と前記第１ＡＰＬ計算回路３３による第１の消費電力量予測値とが異なるようになり、たとえば第２コントローラ４５で発光形式Ｄが選択されたとすると、２倍モードとなり、サブフィールドパルス発生回路４１では、モードの倍数比２／３が乗算され、各サブフィールドＳＦ１〜ＳＦ８におけるパルス数は、順に、２，４，８，１６，３２，６４，１２８，２５６となる。続いて、第２の乗算係数が、たとえば０．７とすると、パルス数は整数であるので、４捨５入演算を行うと最終的に各サブフィールドＳＦ１〜ＳＦ８におけるパルス数は、順に、１，３，６，１１，２２，４５，９０，１７９となる。
【００６４】
このように本実施の形態の画像表示装置は、データ重畳回路３７で入力映像信号Ｒ，Ｇ，Ｂに他の映像信号を重畳するとともに、第１ＡＰＬ計算回路３３がＰＤＰパネル２３の単位面積当りの消費電力量を予測し、第１コントローラ３４が、前記消費電力量を予め定めるレベルに抑制するようにした画像表示装置において、前記第１ＡＰＬ計算回路３３は、入力映像信号Ｒ，Ｇ，Ｂから前記消費電力量を予測するので、ＰＤＰパネル２３の単位面積当りの消費電力量を予め定めるレベルに抑制し、該ＰＤＰパネルの焼き付きや、画像表示装置全体での消費電力が規定の定格消費電力を超過してしまうことなどを防止するようにした、いわゆるプラズマＡＩなどと称される自動消費電力制御を行うにあたって、少なくとも１フィールドの期間を要する該消費電力量の予測演算を、リサイズおよび遅延回路３１による前記入力映像信号Ｒ，Ｇ，Ｂのサイズ変更の処理と並行して行うことができ、発光形式（倍数モード）を設定したり、第１の乗算係数を乗算するなどの該予測演算の結果を映像信号に反映（タイミング合わせ）させるために、映像信号を遅延する必要はなく、高価なメモリを削減することができる。
【００６５】
また、本実施の形態の画像表示装置は、上記のような自動消費電力制御を行うにあたって、上述のように、メモリを削減するために第１ＡＰＬ計算回路３３が入力映像信号Ｒ，Ｇ，ＢからＰＤＰパネル２３の消費電力量を予測すると、その後に映像信号を重畳すると、該消費電力量が前記予め定めるレベルを超過してしまう可能性があるので、前記データ重畳回路３７での重畳後の映像信号から、再び消費電力量を予測する第２ＡＰＬ計算回路４４および第２コントローラ４５を設け、サブフィールドパルス発生回路４１は、前記第１コントローラ３４で決定された倍数モードと、第２コントローラ４５で決定された倍数モードとの倍数比および第２コントローラ４５で決定された第２の乗算係数を、前記第１コントローラ３４によって決定されたパルス数に乗算する。これによって、前記パルス数は、重畳した後の映像信号の平均輝度レベルに対応したものとなり、消費電力量が前記予め定めるレベルを超過してしまうことを確実に防止することができる。
【００６６】
ところで、第２ＡＰＬ計算回路４４での予測演算にも１フィールド期間が必要であるが、その演算結果の反映には、前記サブフィールドパルス発生回路４１での倍数比および第２の乗算係数の乗算による逐次処理で対応することができる。したがって、映像信号−サブフィールド対応付け器４２によるサブフィールドへの対応付け（各サブフィールドにおける発光パルス数の割付け）を変更する等の発光パルスの形態自体に前記演算結果を反映させる場合には、従来のように消費電力量の予測演算の期間だけ映像信号を遅延する遅延用のメモリが必要になるが、本発明では、前記発光パルスの形態自体は第１ＡＰＬ計算回路３３および第１コントローラ３４によって設定されるので、フィールドメモリ４３を使用して、１フィールド期間を要するこの映像信号−サブフィールド対応付け器４２によるサブフィールドへの対応付けの間に、第２ＡＰＬ計算回路４４での予測演算を行うことができ、前記演算結果を反映させるためのメモリを無くすことができる。このようにして、映像信号の重畳に対しても、ＰＤＰパネル２３の消費電力量を確実に規定のレベル以下に抑制しつつ、高価なメモリを削減することができる。
【００６７】
また、本実施の形態の画像表示装置では、前記リサイズおよび遅延回路３１、データ重畳回路３７、第１ＡＰＬ計算回路３３および第１コントローラ３４は、前処理回路チップ２１から成り、前記映像信号−サブフィールド対応付け器４２、サブフィールドパルス発生回路４１、第２ＡＰＬ計算回路４４および第２コントローラ４５は、後処理回路チップ２２から成るので、後処理回路チップ２２で、前記プラズマＡＩなどと称される自動消費電力制御を行う最小限のチップを実現することができ、このチップを用いて、セットメーカは、ドライバ２４，２５の実装されたＰＤＰパネル２３と組合わせて、画像表示装置を作製することができる。そして、独自に前処理回路チップ２１を組合わせることで、遅延を少なくして、データ重畳を行うことができる。
【００６８】
そして、そのような２チップ構成で、パルス数ＲＯＭ３５を前処理回路チップ２１に接続し、第２コントローラ４５は、第２ＡＰＬ計算回路４４での予測結果に応答して、各サブフィールドにおける適応する発光パルス数を前記第１コントローラ３５を介して前記パルス数ＲＯＭ３５から読出すので、２チップ構成としても、１つのパルス数ＲＯＭ３５を用いて、発光パルス数を決定することができる。
【００６９】
なお、上述したような２チップ構成のメリットを考慮しない場合は、前処理回路チップ２１と後処理回路チップ２２とは統合して１チップ化されても、また逆にさらに細かく複数のチップに分けられていても同等の効果を得られる装置は実施可能である。
【産業上の利用可能性】
【００７０】
本発明は、プラズマディスプレイパネルや、有機ＥＬパネルなどの特に自発光の表示パネルに好適に実施され、入力映像信号Ｒ，Ｇ，Ｂに他の映像信号を重畳する一方、ＰＤＰパネル２３の各画素を１フィールド内で複数回発光させ、その発光回数で階調表示を行うとともに、前記ＰＤＰパネル２３の単位面積当りの消費電力量を予測し、その消費電力量予測値から、前記ＰＤＰパネル２３に適用される発光形式を設定することで、前記ＰＤＰパネル２３の消費電力量を予め定める基準値Ｐ付近に抑制し、パネルの焼き付きや、画像表示装置全体での消費電力が規定の定格消費電力を超過してしまうことなどを防止するようにした、いわゆるプラズマＡＩなどと称される映像信号処理機能を有する画像表示装置において、前記消費電力量を先ず第１ＡＰＬ計算回路３３が入力映像信号Ｒ，Ｇ，Ｂから求めることで、リサイズおよび遅延回路３１による前記入力映像信号Ｒ，Ｇ，Ｂのサイズ変更の処理と並行処理し、乗算係数を乗算するなどの該予測演算の結果を映像信号に反映（タイミング合わせ）させるために、映像信号を遅延する必要をなくし、メモリを削減することができる。
【図面の簡単な説明】
【００７１】
【図１】本発明の実施の一形態の画像表示装置の電気的構成を示すブロック図である。
【図２】複数種類設定される各発光形式における発光回数およびサブフィールドの割付け示す図である。
【図３】発光形式の切換点の決定方法について説明するための図である。
【図４】ＰＤＰパネルの消費電力量予想値に対する各パラメータの変化を示すグラフである。
【図５】従来技術の画像表示装置の電気的構成を示すブロック図である。
【符号の説明】
【００７２】
２１    前処理回路チップ
２２    後処理回路チップ
２３    ＰＤＰパネル
２４    走査側ドライバ
２５    データ側ドライバ
３１    リサイズおよび遅延回路
３２，４３    フィールドメモリ
３３    第１ＡＰＬ計算回路（第１の予測手段）
３４    第１コントローラ（第１の発光制御手段）
３５    パルス数ＲＯＭ
３６    乗算回路
３７    データ重畳回路（データ重畳手段）
３８    マイクロコンピュータ
４１    サブフィールドパルス発生回路（補正手段）
４２    映像信号−サブフィールド対応付け器
４４    第２ＡＰＬ計算回路（第２の予測手段）
４５    第２コントローラ（第２の発光制御手段）
【図１】
2005275047.tif 000003
【図２】
2005275047.tif 000004
【図３】
2005275047.tif 000005
【図４】
2005275047.tif 000006
【図５】
2005275047.tif 000007